(57)【要約】 【課題】  いたずらによる取り外し等の意図しない操作を効果的に防止でき、他方、必要時には冶具等により適切に取り外すことができる掲示部材取付具を提供する。【解決手段】  掲示部材取付具１０は、取付け面４０に固定される固定部材２０と、この固定部材２０をカバーする装飾キャップ３０とを備えた構成をなしている。固定部材２０は、取付孔２ａを貫通するように配され、かつ取付け面４０とは反対側の端部に軸部２２が形成されている。装飾キャップ３０は、軸部２２と係合する孔部３２を備えており、軸部２２と孔部３２の係合により固定部材２０の端部に取り付けられるようになっている。そして、孔部３２の内周面３２ａには、溝部３４が形成され、軸部２２の外周面２２ａには、溝部３４と係合する突起部２４が形成されている。そして、この突起部２４が、外力に応じた変形及びその変形から自然状態への復帰が可能な変形材によって構成されている。【選択図】  図２
2007032680.tif 000002
【特許請求の範囲】
【請求項１】
取付孔を備えた掲示部材を取付け面に取り付けて掲示する掲示部材取付具であって、
前記取付け面に固定されると共に前記取付孔を貫通するように配され、かつ前記取付け面側とは反対側の端部に係合部が形成される固定部材と、
前記係合部と係合する被係合部を有し、その係合により前記固定部材の前記端部に取り付けられる装飾キャップと、
を備え、
前記係合部及び前記被係合部のいずれか一方は軸部からなり、他方は、前記軸部が挿入される孔部からなり、
前記軸部の外周面及び前記孔部の内周面のいずれか一方には、溝部が形成され、他方には、前記溝部と係合する突起部が形成されており、
前記溝部及び前記突起部の少なくとも一方が弾性材によって構成されていることを特徴とする掲示部材取付具。
【請求項２】
前記溝部は、前記軸部の外周面又は前記孔部の内周面において周方向に沿って形成されており、
前記突起部は、前記係合部と前記被係合部との係合状態において、前記溝部に沿って相対移動可能とされていることを特徴とする請求項１に記載の掲示部材取付具。
【請求項３】
前記溝部は、前記軸部の外周面又は前記孔部の内周面のいずれか一方の周面において周方向全周に亘って形成されており、前記突起部は、他方の周面において周方向全周に亘って形成されていることを特徴とする請求項１又は請求項２に記載の掲示部材取付具。
【請求項４】
前記装飾キャップの側壁部における前記掲示部材側の端部において、治具挿入用の切欠部が形成されていることを特徴とする請求項１ないし請求項３のいずれかに記載の掲示部材取付具。
【請求項５】
前記装飾キャップは複数の側壁部を有し、前記固定部材に取り付けた取付状態において、全ての側壁部における前記掲示部材側の端部が当該掲示部材と当接することを特徴とする請求項４に記載の掲示部材取付具。
【発明の詳細な説明】
【技術分野】
【０００１】
本発明は、掲示部材取付具に関する。
【背景技術】
【０００２】
従来より、表札や看板などの各種掲示部材を所定の取付け面に取り付けることにより掲示する方法が広く知られている。このような掲示部材に関する技術としては、例えば特許文献１のようなものが提供されている。
【０００３】
【特許文献１】特開平１０−１１６０４５号公報
【発明の開示】
【発明が解決しようとする課題】
【０００４】
表札や看板などの掲示部材を、例えばレンガやコンクリートなどの取付け面（即ち取付け面）に取り付ける方法として、ねじ孔が形成された固定部材を何らかの方法（例えば、ねじ部材による締結や接着材などによる接着など）で取付け面に予め固定しておき、その固定部材をベースとして掲示部材を取り付ける方法が考えられる。その具体例としては、固定部材の前方側（取付け面とは反対の視認側）にねじ孔を設け、ネジ部材を備えた所定の装飾キャップを、掲示部材に形成された取付け孔を介して固定部材に締め付けるようにし、両部材の間で掲示部材を保持する構成が挙げられる。しかしながら、このような構成を用いると、誰もが装飾キャップを容易に操作できるため、掲示者が意図しないいたずら等の操作によって取り外されてしまう虞がある。
【０００５】
本発明は上記のような事情に基づいて完成されたものであって、いたずらなどによる意図しない取り外し操作を効果的に防止でき、その一方で、必要時には冶具等により適切に取り外すことができる掲示部材取付具を提供する。
【課題を解決するための手段】
【０００６】
請求項１の発明は、取付孔を備えた掲示部材を取付け面に取り付けて掲示する掲示部材取付具であって、
前記取付け面に固定されると共に前記取付孔を貫通するように配され、かつ前記取付け面側とは反対側の端部に係合部が形成される固定部材と、
前記係合部と係合する被係合部を有し、その係合により前記固定部材の前記端部に取り付けられる装飾キャップと、
を備え、
前記係合部及び前記被係合部のいずれか一方は軸部からなり、他方は、前記軸部が挿入される孔部からなり、
前記軸部の外周面及び前記孔部の内周面のいずれか一方には、溝部が形成され、他方には、前記溝部と係合する突起部が形成されており、
前記溝部及び前記突起部の少なくとも一方が弾性材によって構成されていることを特徴とする。
【０００７】
請求項２の発明は、請求項１に記載の掲示部材取付具において、
前記溝部は、前記軸部の外周面又は前記孔部の内周面において周方向に沿って形成されており、
前記突起部は、前記係合部と前記被係合部との係合状態において、前記溝部に沿って相対移動可能とされていることを特徴とする。
【０００８】
請求項３の発明は、請求項１又は請求項２に記載の掲示部材取付具において、
前記溝部は、前記軸部の外周面又は前記孔部の内周面のいずれか一方の周面において周方向全周に亘って形成されており、前記突起部は、他方の周面において周方向全周に亘って形成されていることを特徴とする。
【０００９】
請求項４の発明は、請求項１ないし請求項３のいずれかに記載の掲示部材取付具において、
前記装飾キャップの側壁部における前記掲示部材側の端部において、治具挿入用の切欠部が形成されていることを特徴とする。
【００１０】
請求項５の発明は、請求項４に記載の掲示部材取付具において、
前記装飾キャップは複数の側壁部を有し、前記固定部材に取り付けた取付状態において、全ての側壁部における前記掲示部材側の端部が当該掲示部材と当接することを特徴とする。
【発明の効果】
【００１１】
＜請求項１の発明＞
請求項１の構成によれば、溝部或いは突起部を変形させる外力を付加しなければ係合を解除できないため、ネジ等によって装飾キャップを装着する場合と比較して、装飾キャップが簡単には外れにくくなる。また、装飾キャップを取り外す際には、治具等を用いてある程度強い力を弾性材に付加することにより係合解除が可能となる。従って、装飾キャップの取り外しがある程度困難なものとなるため装飾キャップに対するいたずら等の意図しない操作を効果的に防止でき、その一方で、必要時には冶具等により適切に取り外すことができる。
【００１２】
＜請求項２の発明＞
請求項２の構成によれば、掲示部材を取付け面に安定的に固定でき、さらに、係合状態で突起部が溝部に対して相対移動可能とされるため、装飾キャップを固定部材に取り付けた取付状態でその装飾キャップを回動操作できることとなる。従って、取付後において係合を解除せずに装飾キャップの姿勢を容易に調整でき、掲示の際の装飾キャップの姿勢のばらつきを防止しやすくなる。
【００１３】
＜請求項３の発明＞
請求項３のようにすれば、突起部と溝部とがより強固に係合する構成となり、かつ、突起部が溝部に対して３６０°回転可能となるため、装飾キャップの姿勢調整をより行いやすい構成となる。
【００１４】
＜請求項４の発明＞
請求項４の構成によれば、取付状態では、突起部の存在により係合が安定的に維持され、取り外しの際には、装飾キャップと掲示部材との間に取り外し用の冶具を介在させて、装飾キャップを動かすことにより、変形材に効果的に外力を負荷することができる。
【００１５】
＜請求項５の発明＞
請求項５のように、全ての側壁部において掲示部材側の端部を掲示部材と当接させるようにすれば、掲示部材と装飾キャップとの間に指などが進入しにくくなり、取り外し用の冶具を用いた取り外し以外の意図しない取り外しを効果的に抑制できる。
【発明を実施するための最良の形態】
【００１６】
＜実施形態１＞
本発明の実施形態１について図面を参照して説明する。
図１は、本発明の実施形態１に係る掲示部材取付具１０を用いて掲示パネル２（掲示パネル２は特許請求の範囲でいう掲示部材に相当する）を取付け面４０に取り付けた様子を示す斜視図である。図２は、掲示部材取付具１０を掲示パネル２及び取付け面４０と共に示す断面図である。図３は、図２から装飾キャップ３０を取り外した状態を示す図である。図４は、図１の変形例を示す斜視図である。
【００１７】
図１に示すように、本発明の実施形態１に係る掲示部材取付具１０（以下、単に取付具１０ともいう）は、取付孔２ａを備えた掲示パネル２（掲示パネル２は特許請求の範囲でいう掲示部材に相当する）を、木材、タイル、レンガ等の各種材質からなる壁部４１の取付け面４０に取り付けて掲示するためのものである。
【００１８】
掲示部材取付具１０は、取付け面４０に固定される固定部材２０と、この固定部材２０をカバーする装飾キャップ３０とを備えた構成をなしている。
【００１９】
固定部材２０は、取付孔２ａを貫通するように配されるものであり、弾性変形可能な樹脂材料からなるベース部２３と、このベース部２３を取付け面４０に固定するネジ２５によって構成されている。固定部材２０における取付け面４０とは反対側の端部には、軸部２２（軸部２２は、特許請求の範囲でいう係合部に相当する）が形成されている。
【００２０】
装飾キャップ３０は、軸部２２と係合する孔部３２（孔部３２は特許請求の範囲でいう被係合部に相当する）を備えており、軸部２２と孔部３２の係合により固定部材２０の端部に取り付けられるようになっている。この装飾キャップ３０は、正面視したけ以上が矩形状（詳しくは正四角形）とされている。
【００２１】
孔部３２の内周面３２ａには、溝部３４が形成され、軸部２２の外周面２２ａには、溝部３４と係合する突起部２４が形成されている。そして、この突起部２４が、外力に応じた変形及びその変形から自然状態への復帰が可能な弾性材によって構成されている。そして、軸部２２と孔部３２の係合時には突起部２４が溝部３４内において自然状態に維持され、装飾キャップ３０の取り付け操作及び取り外し操作に応じて突起部２４が弾性変形するようになっている。
【００２２】
本実施形態の構成では、溝部３４或いは突起部２４を変形させる外力を付加しなければ係合を解除できないようになっており、ネジ等によって装飾キャップ３０を装着する場合と比較して、装飾キャップ３０が簡単には外れにくくなっている。また、装飾キャップ３０を取り外す際には、治具等を用いてある程度強い力を付加することにより係合解除が可能となる。従って、装飾キャップ３０の取り外しがある程度困難なものとなるため装飾キャップ３０に対するいたずら等の意図しない操作を効果的に防止でき、その一方で、必要時には冶具等により適切に取り外すことができる。
【００２３】
また、上記溝部３４は、孔部３２の内周面において周方向に沿って形成されており、突起部２４は、軸部２２を溝部３２と係合させた係合状態において、溝部３４に沿って相対移動可能とされている。そして、装飾キャップ３０は、係合状態で、固定部材２０に対して回動可能とされている。従って、掲示パネル２を取付け面４０に安定的に固定でき、さらに装飾キャップ３０を固定部材２０に取り付けた取付状態でその装飾キャップ３０を回動できるようになっているため、取付後において係合を解除せずに装飾キャップ３０の姿勢を容易に調整できることとなる。
【００２４】
なお、本実施形態のような構成を用いずに、固定部材と装飾キャップを螺合によって締め付けるようにすると、装飾キャップの最終的な姿勢が一定に定まらないという問題がある。即ち、この場合、装飾キャップの最終的な姿勢は、固定部材に対してどの程度締め付けたかに起因し、螺合開始位置、掲示部材の厚さ等によって様々に変化するため、装飾キャップの最終的姿勢は状況に応じて様々な状態となる。しかしながら、装飾キャップは、掲示部材と共に前方から視認されるものであるため、掲示者等が意図した姿勢で収まるのが望ましく、最終的な姿勢がばらつくことでそれに応じて意図しない姿勢で定まってしまうことは好ましくない。本実施形態の構成では、このような問題を効果的に解消できることとなる。
【００２５】
溝部３４は、軸部２２の外周面又は孔部３２の内周面のいずれか一方の周面において周方向全周に亘って環状に形成されており、突起部２４は、他方の周面において周方向全周に亘ってフランジ状に形成されている。このようにすれば、突起部２４と溝部３４とがより強固に係合する構成となり、かつ、突起部２４が溝部３４に対して３６０°回転可能となるため、装飾キャップ３０の姿勢調整をより行いやすい構成となる。本実施形態では、装飾キャップ３０の姿勢の調整により装飾キャップ３０全体を掲示パネル２の前方に納めることができるようになっている。なお、取付具１０と掲示パネル２からなる掲示ユニットを構成する場合、装飾キャップ３０の回転軌跡が掲示パネル２の前方領域に収まるようにするとよい（即ち、装飾キャップ３０がどのような姿勢をとろうとも、全体が掲示パネル２の前方領域に収まるように構成するとよい）。このようにすると、装飾キャップ３０の一部がが掲示パネルの側方領域に位置しなくなるため、掲示者以外の者によって装飾キャップを取り外しにくくなる。
【００２６】
装飾キャップ３０の側壁部における掲示パネル２側の端部において、治具挿入用の切欠部が形成されている。取付状態では、突起部２４の存在により係合が安定的に維持され、取り外しの際には、装飾キャップ３０と掲示パネル２との間に取り外し用の冶具を介在させて、装飾キャップ３０を動かすことにより、変形材に効果的に外力を負荷することができる。
【００２７】
装飾キャップ３０は複数の側壁部を有し、固定部材２０に取り付けた取付状態において、全ての側壁部における掲示パネル２側の端部が当該掲示パネル２と当接するようになっている。このように、全ての側壁部において掲示パネル２側の端部を掲示パネル２と当接させるようにすれば、掲示パネル２と装飾キャップ３０との間に指などが進入しにくくなり、取り外し用の冶具を用いた取り外し以外の意図しない取り外しを効果的に抑制できる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２９】
（１）上記実施形態では、正面視した場合の外形が正四角形となる装飾キャップ３０を用いたが、正面視した場合の外形はこれ以外の形状であってもよい。例えば、正多角形、星型その他の様々な形状のものを用いることができる。
【００３０】
（２）上記実施形態では、ベース部材２３をネジ２５によって取付け面４０に固定する構成を例示したが、固定部材２０を取付け面に固定可能な方法であればこの構成に限られない。例えば、ベース部材２３を接着剤などにより取付け面４０の固定する構成などであってもよく、それ以外の他の方法によって固定してもよい。
【００３１】
（３）上記実施形態では、一枚板状の掲示パネル２を取り付ける例を示したが、固定対象となる掲示部材はこれ以外の構成であってもよい。例えば、複数の板材が重なるように構成される掲示パネルなどであってもよい。また、固定する掲示部材は、看板、表札、絵画など様々な掲示部材を対象とすることができる。
【００３２】
（４）上記実施形態では、取付状態で装飾キャップが回動可能となる構成を例示したが、これに限られず、例えば、図４のような構成であってもよい。図４は、実施形態１の装飾キャップ３０の代わりに装飾キャップ１３０を用いている点が実施形態１と異なり、固定部材２０については実施形態１と同一である。装飾キャップ１３０には、図示はしていないが、裏面側に、実施形態１と同一の孔部３０が形成されており、軸部２０と係合するようになっている。図４の例では、このような構成において、装飾キャップ１３０の一部が、掲示パネル２の前面２ａよりも後方側に位置している点が実施形態１と異なっている。具体的には、装飾キャップ１３０の一部が、掲示パネル２の外側に配され、その外側に配される部分において、凸部１３１がＬ字のリブ状に形成され、掲示パネル２の側部に隣接して収まるようになっている。
【図面の簡単な説明】
【００３３】
【図１】本発明の実施形態１に係る掲示部材取付具を用いて掲示部材を取付け面に取り付ける様子を示す斜視図
【図２】掲示部材取付具を掲示パネル及び取付け面と共に示す断面図
【図３】図２から装飾キャップを取り外した状態を示す図
【図４】図１の変形例を示す斜視図
【符号の説明】
【００３４】
２…掲示パネル（掲示部材）
１０…掲示部材取付具
２０…固定部材
２２…軸部
２２ａ…軸部の外周面
２４…突起部
３０…装飾キャップ
３２…孔部
３２ａ…孔部の内周面
３４…溝部
３７…側壁部
３７ａ…掲示パネル側の端部
３８…切欠部
４０…取付け面
Ｇ…冶具
【図１】
2007032680.tif 000003
【図２】
2007032680.tif 000004
【図３】
2007032680.tif 000005
【図４】
2007032680.tif 000006